(57)【要約】【課題】  テレビ受信機能内蔵のノートパソコンなど、１台の装置を持って世界各地を移動した場合に、放送方式の違いを意識せずに常に地元のテレビ放送を視聴することを実現する。【解決手段】  本発明のテレビ受信機１は、テレビ放送規格の電波を受信するテレビ受信機１であって、上記テレビ受信機１の位置を特定するＧＰＳ受信部９と、上記受信した電波におけるテレビ放送規格の種別を判別するデジタル・アナログ判別部１８と、上記ＧＰＳ受信部９による位置情報と上記デジタル・アナログ判別部１８による判別結果とに基づいて特定される変調方式によって、受信したテレビ放送規格の電波を復調処理するプログラマブルロジック回路１２とを設けている。【選択図】  図１
2006086730.tif 000002
【特許請求の範囲】
【請求項１】
テレビ放送規格の電波を受信するテレビ受信装置であって、
上記テレビ受信装置の位置を特定する位置情報検出手段と、
上記受信した電波におけるテレビ放送規格の種別を判別する判別手段と、
上記位置情報検出手段による位置情報と上記判別手段による判別結果とに基づいて特定される変調方式によって、受信したテレビ放送規格の電波を復調処理する第１の復調手段とを備えることを特徴とするテレビ受信装置。
【請求項２】
複数の地域毎に、テレビ放送規格の種別と前記変調方式との対応関係を記憶するとともに、各変調方式による処理を上記第１の復調手段に実行させるための処理情報を記憶する記憶部と、
上記位置情報および上記判別結果に基づいて、前記記憶部に記憶されている対応関係を参照することによって変調方式を特定し、特定された変調方式に対応する処理情報を上記記憶部から読み出して前記第１の復調手段を設定する制御手段とを備えることを特徴とする請求項１に記載のテレビ受信装置。
【請求項３】
受信したテレビ放送規格の電波を復調処理する第２の復調手段と、
上記判別結果に基づいて、上記第１の復調手段および上記第２の復調手段のいずれかを選択して復調処理を行わせる切り替え手段とを備え、
上記第２の復調手段が、上記第１の復調手段とは異なる構成となっていることを特徴とする請求項１に記載のテレビ受信装置。
【請求項４】
前記位置情報検出手段は、測位衛星からの電波を受信することにより、位置を特定することを特徴とする請求項１に記載のテレビ受信装置。
【請求項５】
利用者からの指示入力を受け付ける入力手段をさらに備え、
前記位置情報検出手段は、上記入力手段によって受け付けられた、利用者からの位置に関する情報の入力に基づいて位置を特定することを特徴とする請求項１に記載のテレビ受信装置。
【請求項６】
上記位置情報検出手段の動作／非動作を制御する位置検出動作制御手段をさらに備えていることを特徴とする請求項４に記載のテレビ受信装置。
【請求項７】
前記記憶部に格納されている前記変調方式情報には、デジタル放送に対応する変調方式と、
アナログ放送に対応する変調方式との少なくともどちらか一方を含んでいることを特徴とする請求項２に記載のテレビ受信装置。
【請求項８】
上記記憶部に、各地域において放送されているチャンネル情報がさらに格納されているとともに、
上記チャンネル情報に基づいて選局の制御を行う選局制御手段をさらに備えていることを特徴とする請求項２記載のテレビ受信装置。
【請求項９】
上記記憶部に記憶されている情報を更新する情報更新手段をさらに備えていることを特徴とする請求項２記載のテレビ受信装置。
【請求項１０】
請求項１ないし９のいずれか一項に記載のテレビ受信装置と、
演算装置によって情報処理を行う情報処理部とを備えたことを特徴とする情報処理装置。
【請求項１１】
請求項１ないし９のいずれか一項に記載のテレビ受信装置と、
携帯電話網を用いて通話処理を行う通話処理部とを備えたことを特徴とする携帯型電話機。
【発明の詳細な説明】
【技術分野】
【０００１】
本発明は、全世界に対応するテレビ受信機に関するものである。
【背景技術】
【０００２】
地上波テレビ放送は、衛星放送やＣＡＴＶ（Community Antenna TeleVision）放送と異なり、サービスエリア内において、ロッドアンテナなどの簡単なアンテナで受信することができる。そのため、従来、電池駆動の小型テレビや、携帯電話、ノートパソコン、ＰＤＡ（Personal Digital Assistance）などの携帯端末機器にテレビ受信機能が搭載されている。これにより、利用者は、屋外や交通機関の利用時でもテレビ放送を受信することが可能となっている。
【０００３】
また、地上波テレビ放送は、アナログ放送から始まり、現在はアナログ放送からデジタル放送へ変わろうとしている。しかし、どちらの放送の場合であっても、図１４に示すように、国ごとによって、受信周波数、帯域幅、チャンネル数、映像信号、および変調方式が異なっている。また、同じ国内であっても、各地区ごとに分かれている各放送エリアによってチャンネル配置が異なる。従って、様々な国でテレビ放送を視聴しようとすると、その国に適した変調方式に対応する受信機が必要となり、また、放送エリアが変わるごとにチャンネル調整が必要となる。
【０００４】
また、従来の構成では、テレビ受信機でテレビ放送を視聴している利用者が、例えば自動車や電車などの交通機関によって移動している場合、放送エリアを越境することがある。この場合、利用していたチャンネルの周波数が変わり、同じ番組を見ているにもかかわらずチャンネルを調整しなければならないという問題が生じる。
【０００５】
具体的には、例えば、チャンネルが、あるエリアでは１ｃｈとし、隣のエリアでは２ｃｈとしている放送局があるとする。そこで、利用者が、その放送局の番組をテレビで見ながら移動していたとすれば、隣のエリアにさしかかるにつれて、テレビの受信状態が次第に悪化していく。このため、利用者はその都度チャンネル調整を行わなければならなくなる。また、もし知らないチャンネルのエリアに移動した場合、チャンネル調整を試行錯誤して所望のチャンネルに合わせなければならず、極めて煩わしいチャンネル操作が必要となる。
【０００６】
そこで、例えば特許文献１では、放送エリアが利用者の移動によって変更した場合に、自動でチャンネル調整を行う機能を有したテレビ受信機が開示されている。
【特許文献１】特開平８−６５１８８公報（平成８年（１９９６）３月８日公開）
【発明の開示】
【発明が解決しようとする課題】
【０００７】
しかしながら、特許文献１に開示された従来のテレビ受信機の構成では、以下のような問題がある。
【０００８】
上記従来のテレビ受信機では、変調方式の異なる国へ持ち込んだ場合、そのままでは現地の放送を見ることができない。また、利用者が現地の放送を見るために、現地の変調方式に対応する受信機を複数台持ち込むことは、非常に煩雑である。さらに、受信機を複数台持ち込んだ場合、どの機器で現地の放送を見ることができるのかということが明確で無く、利用者は試行錯誤する必要があり、非常に煩雑であるという問題が生ずる。
【０００９】
具体的には、例えば、アナログ放送の映像信号の場合、図１４に示すように、日本や米国ではＮＴＳＣ方式を採用しており、欧州ではＰＡＬ・ＳＥＣＡＭ方式を採用している。この場合、日本と米国では、一つのテレビ受信機を使ってテレビ放送を視聴することができるが、そのテレビ受信機を欧州で使ってもテレビ放送を視聴することはできない。
【００１０】
また、近年ではアナログ放送から、デジタル放送に移行しつつある。デジタル放送の場合であっても、図１４に示すように、変調方式が日本・米国・欧州それぞれ違うため、一つのテレビ受信機を使ってテレビ放送を視聴することはできない。
【００１１】
本発明は、上記の問題点に鑑みてなされたものであり、その目的は、テレビ受信機能内蔵のノートパソコンなど、１台の装置を持って世界各地を移動した場合に、変調方式の違いを意識せずに常に地元のテレビ放送を視聴することを実現することにある。
【課題を解決するための手段】
【００１２】
上記の課題を解決するために、本発明に係るテレビ受信装置は、テレビ放送規格の電波を受信するテレビ受信装置であって、上記テレビ受信装置の位置を特定する位置情報検出手段と、上記受信した電波におけるテレビ放送規格の種別を判別する判別手段と、上記位置情報検出手段による位置情報と上記判別手段による判別結果とに基づいて特定される変調方式によって、受信したテレビ放送規格の電波を復調処理する第１の復調手段とを備えることを特徴とする。
【００１３】
上記の構成によれば、上記位置情報検出手段から得た位置情報と、上記判別手段における判別情報とから、変調方式を割り出し、その地域における上記テレビ受信装置の変調方式の設定を自動で最適化することが可能となる。これにより、その地域の変調方式を考慮することなくテレビを視聴することができる。
【００１４】
また、本発明に係るテレビ受信装置は、上記の構成において、複数の地域毎に、テレビ放送規格の種別と前記変調方式との対応関係を記憶するとともに、各変調方式による処理を上記第１の復調手段に実行させるための処理情報を記憶する記憶部と、上記位置情報および上記判別結果に基づいて、前記記憶部に記憶されている対応関係を参照することによって変調方式を特定し、特定された変調方式に対応する処理情報を上記記憶部から読み出して前記第１の復調手段を設定する制御手段とを備えることが好ましい。
【００１５】
上記の構成では、制御手段が、位置情報および判別結果に基づいて、記憶部に記憶されている対応関係を参照することによって変調方式を特定し、特定された変調方式に対応する処理情報を記憶部から読み出して第１の復調手段を設定するようになっている。したがって、記憶部に様々な種類の処理情報を記憶させておくことによって、様々な変調方式による復調処理を第１の復調手段に行わせることが可能となる。
【００１６】
さらに、本発明に係るテレビ受信装置は、上記の構成において、受信したテレビ放送規格の電波を復調処理する第２の復調手段と、上記判別結果に基づいて、上記第１の復調手段および上記第２の復調手段のいずれかを選択して復調処理を行わせる切り替え手段とを備え、上記第２の復調手段が、上記第１の復調手段とは異なる構成となっていることが好ましい。
【００１７】
例えば、１つの復調手段によって様々な種類の変調方式に対応させようとすると、その復調手段の構成が煩雑になるという問題が生じる可能性がある。これに対して、上記の構成によれば、互いに構成の異なる復調手段を２種類設けられていることになる。よって、変調方式の種類に応じて、より適切な復調手段を用いて復調処理を行うことが可能となるので、各復調手段の構成をより簡素化することができる。
【００１８】
さらに、本発明に係るテレビ受信装置は、上記の構成において、前記位置情報検出手段は、測位衛星からの電波を受信することにより、位置を特定することが好ましい。
【００１９】
上記の構成によれば、測位衛星からの電波を受信することにより、テレビ受信装置の位置を特定することが可能となるので、例えば利用者が位置情報を入力するなどの手間を省くことができる。
【００２０】
また、本発明に係るテレビ受信装置は、上記の構成において、利用者からの指示入力を受け付ける入力手段をさらに備え、前記位置情報検出手段は、上記入力手段によって受け付けられた、利用者からの位置に関する情報の入力に基づいて位置を特定することが好ましい。
【００２１】
上記の構成により、もし利用者が、ＧＰＳ衛星からの電波の届かない場所で上記テレビ受信装置を利用した場合、利用者が手動で位置情報を入力する。これにより、位置が特定され、測位衛星からの電波の届かない場所であってもその地域の変調方式を考慮することなくテレビを視聴することができる。
【００２２】
さらに、本発明に係るテレビ受信装置は、上記の構成において、上記位置情報検出手段の動作／非動作を制御する位置検出動作制御手段をさらに備えていることが好ましい。
【００２３】
例えば前回電源をＯＦＦにした時と同一地域内にいる場合は、位置検出を行う必要がないことになる。この場合、上記の構成によれば、位置検出動作制御手段によって、位置情報検出手段の動作を停止しておくことが可能となる。これにより、不要時に位置情報検出手段の動作を停止させることによって、電力消費を少なくすることができる。
【００２４】
また、本発明に係るテレビ受信装置は、上記の構成において、前記記憶部に格納されている前記変調方式情報には、デジタル放送に対応する変調方式と、アナログ放送に対応する変調方式との少なくともどちらか一方を含んでいることが好ましい。
【００２５】
上記の構成により、上記記憶部からデジタル放送に対応する変調方式および／またはアナログ放送に対応する変調方式を取得し、上記復調手段に書き込むことで、両方式に対応することができる。
【００２６】
また、本発明に係るテレビ受信装置は、上記の構成において、上記記憶部に、各地域において放送されているチャンネル情報がさらに格納されているとともに、上記チャンネル情報に基づいて選局の制御を行う選局制御手段をさらに備えていることが好ましい。
【００２７】
上記の構成によれば、例えば、利用者がテレビ受信装置を保持した状態で移動することによって、放送エリアを越境した場合には、選局制御手段が、位置情報に基づいて受信するチャンネルを変更する処理を行うことが可能となる。
【００２８】
また、本発明に係るテレビ受信装置は、上記の構成において、上記記憶部に記憶されている情報を更新する情報更新手段をさらに備えていることが好ましい。
【００２９】
上記の構成によれば、記憶部に記憶されている情報、例えば、上記テレビ放送規格の種別と前記変調方式との対応関係、上記処理情報、および上記チャンネル情報などを更新することが可能となる。よって、常に最新の情報に基づく処理を行うことが可能となる。
【００３０】
また、本発明に係る情報処理装置は、上記本発明に係るテレビ受信装置と、演算装置によって情報処理を行う情報処理部とを備えたことを特徴としている。
【００３１】
上記の構成によれば、例えば可搬型のパソコンなどにおいて、テレビを受信する機能を持たせた場合に、該パソコンを持って行っている地域の変調方式を考慮することなくテレビを視聴することが可能となる。
【００３２】
また、本発明に係る携帯型電話機は、上記本発明に係るテレビ受信装置と、携帯電話網を用いて通話処理を行う通話処理部とを備えたことを特徴としている。
【００３３】
上記の構成によれば、携帯型電話機にテレビを受信する機能を持たせた場合に、該携帯型電話機を持って行っている地域の変調方式を考慮することなくテレビを視聴することが可能となる。
【発明の効果】
【００３４】
本発明に係るテレビ受信装置は、以上のように、上記位置検出手段と、検出した位置情報からその地域の放送方式とチャンネル周波数を割り出し、それらの情報からテレビ受信機をその地域に最適な状態に自動で設定する機能を備えているので、地域を移動する度に煩雑な設定をする必要もなく簡単に視聴できる全世界対応のテレビ受信機が実現できるという効果を奏する。
【発明を実施するための最良の形態】
【００３５】
〔実施の形態〕
本発明の一実施形態について図面に基づいて説明すると以下の通りである。
【００３６】
〔テレビ受信システムの構成〕
図２を参照して、本実施形態に係るテレビ受信システムについて説明する。本テレビ受信システムは、放送局１００と、ＧＰＳ衛星（測位衛星）１０１と、テレビ受信機（テレビ受信装置）１とを備えている。
【００３７】
放送局１００は、地上波テレビ放送としてのデジタル放送および／またはアナログ放送を送信する放送局である。放送局１００から送信されたＲＦ（Radio Frequency）信号は、地上波アンテナ２を備えたテレビ受信機１によって受信される。
【００３８】
ＧＰＳ衛星１０１は、ＧＰＳ（Global Positioning System）において用いられる電波を発信する人工衛星である。ＧＰＳ衛星１０１から送信された電波は、ＧＰＳ受信アンテナ７を備えたテレビ受信機１によって受信される。なお、図２では簡単のためにＧＰＳ衛星１０１を１つだけ示しているが、テレビ受信機１における位置検出が行われる際には、３つ以上のＧＰＳ衛星から電波が用いられることになる。
【００３９】
テレビ受信機１は、放送局１００から送信されるＲＦ信号を映像、音声に変換してテレビ放送の再生を行う装置である。また、このテレビ受信機１は、ＧＰＳ衛星１０１から送信される電波を使ってテレビ受信機１の位置を測定することが可能になっている。なお、このテレビ受信機１は、例えば電池駆動の小型テレビ、携帯電話、ノートパソコン、および、ＰＤＡ（Personal Digital Assistance）などの携帯端末機器などによって実現される。
【００４０】
〔テレビ受信機の構成〕
テレビ受信機１は、図１に示すように、地上波アンテナ２と、テレビ受信チューナ３と、出力部４と、キーボード５と、記憶部６と、ＧＰＳ受信アンテナ７と、テレビ受信部８と、ＧＰＳ受信部９と、制御部１０とを備えている。
【００４１】
地上波アンテナ２は、放送局１００から送信された地上波テレビ放送信号としてのＲＦ信号を受信するアンテナである。
【００４２】
テレビ受信チューナ３は、上記地上波アンテナ２によって受信されたＲＦ信号をＩＦ（Intermediate Frequency）信号に周波数変換する。その後、テレビ受信チューナ３は、テレビ受信部８へ上記ＩＦ信号を伝送する。また、テレビ受信チューナ３は、上記地上波アンテナ２によって受信された電波が、デジタル放送用の電波であるのか、アナログ放送用の電波であるのかを判別するために後述のデジタル・アナログ判別部１８にＩＦ信号を伝送する。
【００４３】
出力部４は、ディスプレイやスピーカ等を備えており、後述するＭＰＥＧ２デコーダ１３、映像・音声デコーダ１５によって変換された映像信号、音声信号を出力する。
【００４４】
キーボード５は、利用者が位置情報を手動で入力したり、チャンネルを手動で選局したりするための入力手段である。なお、この入力手段としては、キーボード形状のものに限定されるものではなく、ボタン、タッチセンサ、スクロールホイールなど、利用者の指示入力を受け付けることが可能な入力手段であれば、どのような形態でも構わない。
【００４５】
記憶部６は、複数の地域毎に、テレビ放送規格の種別と前記変調方式との対応関係を記憶するとともに、各変調方式による処理をプログラマブルロジック回路１２（後述）に実行させるための処理情報を記憶している。記憶部６に記憶されている処理情報としては、デジタル放送の電波を受信した場合に使用する各変調方式に対応する処理情報と、アナログ放送の電波を受信した場合に使用される各変調方式に対応する処理情報との両方を格納している。これにより、デジタル放送の電波を受信した場合、制御部１０によってデジタル放送用処理情報がプログラマブルロジック回路１２に書き込まれる。また、アナログ放送の電波を受信した場合、制御部１０によってアナログ放送用処理情報がプログラマブルロジック回路１２に書き込まれる。
【００４６】
また、記憶部６は、各地域において放送されているチャンネル情報、すなわち、各地域毎のチャンネル構成に関する情報が記憶されている。
【００４７】
さらに、記憶部６に記録されているテレビ放送規格の種別と前記変調方式との対応関係情報、上記処理情報、および上記チャンネル情報の更新を行う情報更新手段が備えられている。これにより、これらの情報を常に最新の状態に保つことが可能となっている。また、処理情報がバージョンアップ可能となるので、変調方式が新しくなった場合にも、装置構成を変えることなく対応することが可能となる。この情報更新手段は、例えばインターネット網などの通信ネットワーク経由で情報の更新を行うようになっていてもよいし、ＣＤ−ＲＯＭなどの記録媒体を用いて情報の更新を行うようになっていても良い。
【００４８】
ＧＰＳ受信アンテナ７は、ＧＰＳ衛星１０１から送信された電波を受信する。
【００４９】
テレビ受信部８は、Ａ／Ｄ変換部１１と、プログラマブルロジック回路１２と、ＭＰＥＧ２デコーダ１３と、Ｄ／Ａ変換部１４と、映像・音声デコーダ１５とを備えている。
【００５０】
Ａ／Ｄ変換部１１は、アナログ信号として入力されたＩＦ信号をデジタル信号に変換する。
【００５１】
プログラマブルロジック回路（第１の復調手段）１２は、Ａ／Ｄ変換部１１から入力されたデジタル信号を復調する処理を行うものである。このプログラマブルロジック回路１２は、制御部１０が備えるプログラマブルロジック回路制御部１９（後述）によって設定された処理情報に従って回路が書き換え可能となっているロジック回路であり、例えば、ＦＰＧＡ（登録商標）（Field Programmable Gate Array）や、リコンフィギュアラブルロジック等で実装される。
【００５２】
なお、上記のようなプログラマブルロジック回路１２の代りに、復調手段として、ＤＳＰ（Digital Signal Processor）やＣＰＵ等を用いて復調処理を行う形態としてもよい。この場合、復調手段は、プログラムを書き換えるだけ、つまり、ソフトウェアを書き換えるだけで復調処理を変更することができる。このため、復調処理を変更することは容易である。しかし、復調手段は、数１０Ｍｂｐｓ（bit per second）程度のデータを扱う必要があるため、処理速度の低いＣＰＵやＤＳＰでは処理が間に合わない可能性があるが、今後、処理速度の高いＣＰＵやＤＳＰが実用化されれば、このような構成によって復調手段を実現することは可能である。
【００５３】
ＭＰＥＧ２デコーダ１３は、地上波アンテナ２がデジタル放送の電波を受信した際、プログラマブルロジック回路１２で出力されるＴＳ信号を映像信号、音声信号に変換する。
【００５４】
Ｄ／Ａ変換部１４は、地上波アンテナ２がアナログ放送の電波を受信した際、プログラマブルロジック回路１２から出力されたデジタル化した音声信号と、デジタル化したコンポジット信号とをＤ／Ａ変換する。
【００５５】
映像・音声デコーダ１５は、Ｄ／Ａ変換部１４によって変換されたコンポジット信号・音声信号を映像信号、音声信号に変換する。
【００５６】
ＧＰＳ受信部９は、ＧＰＳフロントエンド１６と、ＧＰＳ信号処理部１７とを備えている。
【００５７】
ＧＰＳフロントエンド１６は、ＧＰＳ受信アンテナ７で受信した電波を電気信号に変換する。
【００５８】
ＧＰＳ信号処理部１７は、ＧＰＳフロントエンド１６から得られた信号等から現在位置を決定する処理をし、位置情報を制御部１０に伝送する。またＧＰＳ信号を受信できない場合は、キーボード５より国名・地名の位置情報を入力することも可能とする。なおキーボード５で国名・地名を入力する代わりにモニター上に候補となる国名・地名を表示させ選択ボタンで選択決定するようにしてもよい。
【００５９】
制御部１０は、デジタル・アナログ判別部（判別手段）１８と、プログラマブルロジック回路制御部（制御手段）１９と、ＧＰＳ受信制御部（位置検出動作制御手段）２０と、選局制御部（選局制御手段）２１とを備えている。なお、詳細は後述するが、上記制御部１０は、ＣＰＵが記憶装置に格納されたプログラムを実行し、図示しない入出力回路などの周辺回路を制御することによって実現される機能ブロックである。
【００６０】
デジタル・アナログ判別部１８は、上記テレビ受信チューナ３から伝送されたＩＦ信号により、デジタル放送の電波であるのかアナログ放送の電波であるのかを判別する。その後、デジタル・アナログ判別部１８は、どちらの放送の電波を受信したのかという判別結果としての放送情報をプログラマブルロジック回路制御部１９に伝送する。
【００６１】
プログラマブルロジック回路制御部１９は、ＧＰＳ受信部９から得られた位置情報、もしくは上記キーボード５から利用者が直接入力した位置情報と、上記デジタル・アナログ判別部１８によって判別された放送情報に基づいて、記憶部６から上記位置情報に適応する処理情報を読み出す。そして、プログラマブルロジック回路制御部１９は、読み出した処理情報による処理が行われるように、プログラマブルロジック回路１２の回路設定を行う。例えば、テレビ受信機１が日本国内に位置している場合、デジタル放送を受信する際には、プログラマブルロジック回路１２はＩＳＤＢ−Ｔ復調器の動作を行うよう設定され、アナログ放送を受信する際には、プログラマブルロジック回路１２はＮＴＳＣ（National Television Standards Committee）方式のＶＳＢ（Vestigial Side Band）復調器として動作するように設定される。
【００６２】
ＧＰＳ受信制御部２０は、ＧＰＳ受信部９の電力供給を制御する。これにより、ＧＰＳ受信部９がＯＦＦ設定でテレビ受信機１の電源をＯＮにした場合は、前回電源ＯＦＦにした時の位置情報を継続するようにする。なお、例えばテレビ受信機１の表示画面にＧＰＳ受信部９のＯＮ／ＯＦＦ設定メニューが表示され、これに基づいて利用者によってキーボード５から設定入力が行われることによって、ＧＰＳ受信部９のＯＮ／ＯＦＦの設定が行われるようになっていればよい。なお、ＧＰＳ受信部９のＯＮ／ＯＦＦ制御は、物理的なスイッチによって行われるようになっていても良い。
【００６３】
選局制御部２１は、ＧＰＳ受信部９から入力される位置情報に基づいて、記憶部６に記憶されている上記チャンネル情報を参照して、チャンネル選択を制御する。例えば、利用者がテレビ受信機１を保持した状態で移動することによって、放送エリアを越境した場合には、選局制御部２１は、位置情報に基づいて受信するチャンネルを変更する処理を行う。また、選局制御部２１は、ＧＰＳ衛星１０１の電波を受信することができない場合に、利用者からキーボード５によって位置情報を受け付けることによって、チャンネル選択の制御を行う。
【００６４】
次に、プログラマブルロジック回路１２の動作について、より詳細に説明する。デジタル放送の電波を受信した場合のプログラマブルロジック回路１２におけるブロック図を図３に示す。さらに、アナログ放送の電波を受信した場合のプログラマブルロジック回路１２におけるブロック図を図４に示す。
【００６５】
デジタル放送の電波を受信した場合、プログラマブルロジック回路１２では、デジタル放送用の処理情報がプログラマブルロジック回路制御部１９によって書き込まれる。具体的には、例えば、プログラマブルロジック回路１２が、復調処理部２２とエラー訂正処理部２３とを備えた構成として機能するように設定される。ここで、上記復調処理部２２は、入力されたデジタル信号を復調する。また、上記エラー訂正処理部２３は、復調された信号のエラー訂正を行う。なお、上記復調処理部２２における復調処理と上記エラー訂正処理部２３におけるエラー訂正処理とは、一対の処理となっている。その後、プログラマブルロジック回路１２は、変換したＴＳ信号をＭＰＥＧ２デコーダ１３に伝送する。
【００６６】
また、アナログ放送の電波を受信した場合、プログラマブルロジック回路１２は、アナログ放送用の処理情報がプログラマブルロジック回路制御部１９によって書き込まれる。具体的には、例えば、プログラマブルロジック回路１２が、ＳＡＷフィルタ処理部２４と、映像復調処理部２５と、ＦＭ変調処理部２６とを備えた構成として機能するように設定される。ここで、ＳＡＷフィルタ処理部２４は、入力されたデジタル信号を映像デジタル信号と音声デジタル信号とに分離する。また、映像復調処理部２５は、映像デジタル信号をＡＭ復調する。ＦＭ変調処理部２６は、音声デジタル信号をＦＭ復調する。その後、プログラマブルロジック回路１２は、上記映像デジタル信号、音声デジタル信号をＤ／Ａ変換部１４に伝送する。
【００６７】
〔処理手順〕
次に図５に示すフローチャートを参照しながら、本実施形態におけるテレビ受信機１で実行される処理の流れについて説明する。
【００６８】
まず、ステップ１（以降、Ｓ１のように称する）において、利用者がテレビ受信機１の電源をＯＮにする。
【００６９】
Ｓ２において、ＧＰＳ受信制御部２０は、ＧＰＳ受信部９における電源がＯＮに設定されているのか、もしくは、ＯＦＦに設定されているのかを確認する。もし、テレビ受信機１の電源をＯＮにした後、利用者が移動することによって、ＧＰＳによって前回検出した位置と現在位置とが同一地域内にない場合、ＧＰＳ受信部９の電源をＯＮにすることで、位置を特定する。しかし、もし利用者が、上記前回に検出した位置と現在位置とが同一地域内にある場合、テレビ受信機１の電源を入れる度に位置情報を検出し、変調方式を決定し、上記変調方式をプログラマブルロジック回路１２に書き換えるという一連の動作が無駄であるため、この場合はＧＰＳ受信部９の電源をつける必要がない。ここで、ＧＰＳ受信部９の電源をＯＮした場合、処理はＳ３へ移行し、ＧＰＳ受信部９の電源をＯＦＦのままである場合、処理はＳ７へ移行する。
【００７０】
Ｓ３において、ＧＰＳ受信制御部２０は、ＧＰＳ受信アンテナ７によってＧＰＳ衛星１０１からの電波を受信できるかどうかを判断する。ＧＰＳ受信アンテナ７がＧＰＳ衛星１０１からの電波を受信できる場合、処理は、Ｓ４へ移行する。また、ＧＰＳ受信アンテナ７がＧＰＳ衛星１０１からの電波を受信できない場合、処理は、Ｓ５へ移行する。
【００７１】
Ｓ４において、ＧＰＳ受信アンテナ７が、ＧＰＳ衛星１０１からの電波を受信できる場合、ＧＰＳ受信部９は、ＧＰＳ受信アンテナ７で受信した信号をＧＰＳフロントエンド１６とＧＰＳ信号処理部１７とによって位置情報検出処理を行う。位置情報検出処理を行った後、ＧＰＳ受信部９は、検出した位置情報を制御部１０に伝送する。その後、処理はＳ６へ移行する。
【００７２】
Ｓ５において、ＧＰＳ受信アンテナ７が、ＧＰＳ衛星１０１からの電波を受信できない場合、ＧＰＳ受信制御部２０は、ＧＰＳ衛星１０１からの電波を受信できない旨を出力部４より出力する。これにより、ＧＰＳ受信制御部２０は、利用者にキーボード５によって、直接、位置情報を入力するように要求する。その後、処理は、Ｓ６へ移行する。
【００７３】
Ｓ６において、プログラマブルロジック回路制御部１９は、キーボード５又はＧＰＳ受信部９によって伝送された位置情報を認識する処理を行う。その後、処理は、Ｓ７へ移行する。
【００７４】
Ｓ７において、地上波アンテナ２はＲＦ信号を受信する。受信したＲＦ信号は、テレビ受信チューナ３によってＩＦ信号に変換される。そして、テレビ受信チューナ３は、ＩＦ信号をテレビ受信部８内のＡ／Ｄ変換部１１に伝送する。また、デジタル放送用の電波であるのか、アナログ放送用の電波であるのかを区別させるために、テレビ受信チューナ３は、ＩＦ信号をデジタル・アナログ判別部１８にも伝送する。その後、処理はＳ８へ移行する。
【００７５】
Ｓ８において、Ａ／Ｄ変換部１１は、テレビ受信チューナ３より伝送されたＩＦ信号をデジタル信号に変換する。これにより、プログラマブルロジック回路１２では、デジタル信号を扱うこととなる。そして、Ａ／Ｄ変換部１１は、デジタル信号をプログラマブルロジック回路１２へ伝送する。その後、処理は、Ｓ９へ移行する。
【００７６】
Ｓ９において、デジタル・アナログ判別部１８は、受信した電波がデジタル放送用の電波であるのか、もしくは、アナログ放送用の電波であるのかを判別する。ここで、受信電波がデジタル放送用の電波である場合、処理はＳ１０へ移行する。また、受信電波がアナログ放送用の電波である場合、処理はＳ１６へ移行する。これにより、放送局１００からの電波がどちらの放送用の電波であっても復調可能となる。
【００７７】
Ｓ１０において、プログラマブルロジック回路制御部１９は、デジタル・アナログ判別部１８により得られた情報と、ＧＰＳ信号処理部１７から得られた位置情報とを参照して、記憶部６から上記処理情報を取得し、プログラマブルロジック回路１２に書き込む。その後、処理はＳ１１へ移行する。
【００７８】
Ｓ１１において、Ａ／Ｄ変換部１１は、デジタル信号をプログラマブルロジック回路１２に伝送する。その後、処理はＳ１２へ移行する。
【００７９】
Ｓ１２において、プログラマブルロジック回路１２は、Ａ／Ｄ変換部１１より伝送されたデジタル信号をプログラマブルロジック回路１２中における機能である復調処理部２２によって、復調処理を行う。これは、各国によって変調方式が様々であるためである。そして、復調処理部２２は、復調処理したデジタル信号をエラー訂正処理部２３に伝送する。その後、処理はＳ１３へ移行する。
【００８０】
Ｓ１３において、エラー訂正処理部２３は、上記復調処理したデジタル信号を前ステップでの復調処理に対応するエラー訂正処理する。これは、上記各国仕様に対応する復調処理と一対で行う。そして、エラー訂正処理部２３は、ＴＳ信号をプログラマブルロジック回路１２からＭＰＥＧ２デコーダ１３に伝送する。その後、処理はＳ１４へ移行する。
【００８１】
Ｓ１４において、ＭＰＥＧ２デコーダ１３は、ＴＳ信号を映像・音声に変換する。そして、ＭＰＥＧ２デコーダ１３は、映像・音声を出力部４に伝送する。その後、処理はＳ１５へ移行する。
【００８２】
Ｓ１５において、出力部４は、映像・音声を出力する。これにより、出力部４であるディスプレイ及びスピーカに伝送され、利用者は視聴可能となる。
【００８３】
一方、Ｓ１６において、プログラマブルロジック回路制御部１９は、デジタル・アナログ判別部１８により得られた情報と、ＧＰＳ信号処理部１７から得られた位置情報とを参照して、記憶部６から上記処理情報を取得し、プログラマブルロジック回路１２に書き込む。その後、処理はＳ１７へ移行する。
【００８４】
Ｓ１７において、Ａ／Ｄ変換部１１は、デジタル信号をプログラマブルロジック回路１２に伝送する。そして、Ａ／Ｄ変換部１１は、上記デジタル信号をプログラマブルロジック回路１２中における機能であるＳＡＷフィルタ処理部２４に伝送する。その後、処理はＳ１８へ移行する。
【００８５】
Ｓ１８において、ＳＡＷフィルタ処理部２４は、デジタル信号をコンポジットデジタル信号・音声デジタル信号に分離する。そして、ＳＡＷフィルタ処理部２４は、分離したコンポジットデジタル信号を映像復調処理部２５に伝送する。また、ＳＡＷフィルタ処理部２４は、音声デジタル信号をＦＭ変調処理部２６に伝送する。その後、処理は、Ｓ１９へ移行する。
【００８６】
Ｓ１９において、映像復調処理部２５は、コンポジットデジタル信号を復調処理する。また、ＦＭ変調処理部２６は、音声デジタル信号を復調処理する。そして、プログラマブルロジック回路１２は、コンポジットデジタル信号・音声デジタル信号をＤ／Ａ変換部１４に伝送する。その後、処理は、Ｓ２０へ移行する。
【００８７】
Ｓ２０において、Ｄ／Ａ変換部１４は、コンポジットデジタル信号・音声デジタル信号をアナログ信号に変換する。そして、Ｄ／Ａ変換部１４は、Ｄ／Ａ変換されたコンポジット信号・音声信号を映像・音声デコーダ１５に伝送する。その後、処理はＳ２１へ移行する。
【００８８】
Ｓ２１において、映像・音声デコーダ１５は、コンポジット信号・音声信号を映像・音声に変換する。そして、映像・音声デコーダ１５は、映像・音声を出力部４に伝送する。その後、処理はＳ２２へ移行する。
【００８９】
Ｓ２２において、出力部４は、映像・音声を出力する。これにより、出力部４であるディスプレイ及びスピーカに伝送され、利用者は視聴可能となる。
【００９０】
以上より、利用者は、デジタル放送・アナログ放送のどちらの放送がされている地域であっても、放送エリアを越境したとしても上記テレビ受信機１を使って変調方式・チャンネル周波数の違いを意識せずにその地域の放送を見ることができる。
【００９１】
〔実施の形態２〕
本発明の他の実施形態について図６に基づいて説明すると以下の通りである。なお、前記した実施の形態１で説明した構成と同様の機能を有する構成には同一の符号を付記し、その説明を省略する。本実施形態に係るテレビ受信機２０１は、実施の形態１に示したテレビ受信機１において、テレビ受信部８と制御部１０との構成が異なるだけであり、その他の構成については同様である。
【００９２】
〔テレビ受信機の構成〕
本実施形態に係るテレビ受信機２０１の構成を図６に示す。同図に示すように、テレビ受信機２０１のテレビ受信部２０８は、テレビ受信機１のテレビ受信部８におけるＡ／Ｄ変換部１１と、プログラマブルロジック回路１２とを、スイッチ２１１と、デジタル復調部２１２と、アナログ復調処理部（第２の復調手段）２１４とに置き換えた構成となっている。なお、テレビ受信部８におけるＤ／Ａ変換部１４は、取り除いた構成となっている。また、テレビ受信機２０１の制御部２１０は、テレビ受信機１の制御部１０に、さらに切り替え制御部２３１と、方式選択制御部２３２とを加えた構成となっている。
【００９３】
以下に、テレビ受信部２０８における置き換えた各構成要素を詳述する。また、デジタル復調部２１２の構成を図７に示す。
【００９４】
図６に示すように、スイッチ２１１は、デジタル・アナログ判別部１８による判別結果に基づいて、ＩＦ信号をデジタル復調部２１２およびアナログ復調処理部２１４のいずれか一方に伝送するスイッチである。すなわち、上記地上波アンテナ２によって受信された電波がデジタル放送用の電波である場合、スイッチ２１１は、テレビ受信チューナ３から出力されるＩＦ信号をデジタル復調部２１２に伝送する。また、上記地上波アンテナ２によって受信された電波がアナログ放送用の電波である場合、スイッチは、テレビ受信チューナ３から出力されるＩＦ信号をアナログ復調処理部２１４に伝送する。
【００９５】
デジタル復調部２１２は、Ａ／Ｄ変換部２２２と、プログラマブルロジック回路（制御手段）２２３とを備えている。ここで、Ａ／Ｄ変換部２２２と、プログラマブルロジック回路２２３とは実施の形態１と同様の構成であるため、説明は省略する。ただし、デジタル復調部２１２は、デジタル放送用の電波によるＩＦ信号のみ伝送されるため、本実施形態の記憶部６は、デジタル放送用の処理情報のみ記憶しておけばよい。
【００９６】
アナログ復調処理部２１４は、ＳＡＷフィルタ処理部２２４と、映像復調処理部２２５と、ＦＭ復調処理部２２６とを備えている。なお、アナログ復調処理部２１４の構成を図８に示す。
【００９７】
同図に示すように、ＳＡＷフィルタ処理部２２４は、スイッチ２１１から伝送されるＩＦ信号を、コンポジット信号と音声信号とに分離するためのフィルタを用いて処理する。
【００９８】
映像復調処理部２２５は、切り替えスイッチ２２７と、ＮＴＳＣ方式対応復調部２２８と、ＰＡＬ方式対応復調部２２９と、ＳＥＣＡＭ方式対応復調部２３０とを備えている。
【００９９】
切り替えスイッチ２２７は、方式選択制御部２３２からの方式選択信号に基づいて、ＮＴＳＣ方式対応復調部２２８・ＰＡＬ方式対応復調部２２９・ＳＥＣＡＭ方式対応復調部２３０のいずれかにＳＡＷフィルタ処理部２２４から出力された信号を伝送する。
【０１００】
アナログ放送の場合、変調方式として、ＮＴＳＣ方式、ＰＡＬ方式、ＳＥＣＡＭ方式があり、日本・米国等はＮＴＳＣ方式を採用しており、英国・中国等はＰＡＬ方式を採用しており、フランス・東ヨーロッパ諸国ではＳＥＣＡＭ方式を採用している。
【０１０１】
ＮＴＳＣ方式対応復調部２２８は、上記切り替えスイッチ２２７によって、切り替えスイッチ２２７とＮＴＳＣ方式対応復調部２２８とが接続された場合、ＳＡＷフィルタ処理部２２４で分離されたコンポジット信号を復調する。ただし、上記の場合、切り替えスイッチ２２７とＰＡＬ方式対応復調部２２９、切り替えスイッチ２２７とＳＥＣＡＭ方式対応復調部２３０は、切り離されている。
【０１０２】
ＰＡＬ方式対応復調部２２９は、上記切り替えスイッチ２２７によって、切り替えスイッチ２２７と、ＰＡＬ方式対応復調部２２９とが接続された場合、ＳＡＷフィルタ処理部２２４で分離されたコンポジット信号を復調する。ただし、上記の場合、切り替えスイッチ２２７とＮＴＳＣ方式対応復調部２２８、切り替えスイッチ２２７とＳＥＣＡＭ方式対応復調部２３０は、切り離されている。
【０１０３】
ＳＥＣＡＭ方式対応復調部２３０は、上記切り替えスイッチ２２７によって、切り替えスイッチ２２７と、ＳＥＣＡＭ方式対応復調部２３０とが接続された場合、ＳＡＷフィルタ処理部２２４で分離されたコンポジット信号を復調する。ただし、上記の場合、切り替えスイッチ２２７とＮＴＳＣ方式対応復調部２２８、切り替えスイッチ２２７とＰＡＬ方式対応復調部２２９は、切り離されている。
【０１０４】
なお、上記アナログ復調処理部２１４は、映像復調処理部２２５が複数の方式に対応している構成である場合に限定されるものではなく、１つの方式にのみ対応する構成であってもよい。
【０１０５】
ＦＭ復調処理部２２６は、ＳＡＷフィルタ処理部で分離された音声信号を復調する。
【０１０６】
また、以下に、制御部２１０におけるさらに加えた各構成要素を詳述する。
【０１０７】
切り替え制御部２３１は、デジタル・アナログ判別部１８により判別した結果に基づいて、スイッチ２１１の切り替えを制御する。
【０１０８】
方式選択制御部２３２は、ＧＰＳ受信制御部２０から位置情報を取得し、デジタル・アナログ判別部１８から方式情報を取得し、アナログ復調処理部２１４に方式選択信号として伝送する。
【０１０９】
〔処理手順〕
次に図９に示すフローチャートを参照しながら、本実施形態におけるテレビ受信機２０１で実行される処理の流れについて説明する。なお、前記した実施の形態１で説明した構成と同様の工程に関しては同一の符号を付記し、その説明を省略する。具体的には、本実施形態におけるＳ２０１〜Ｓ２０７は、実施の形態１のＳ１〜Ｓ７と同様である。また、本実施形態におけるＳ２０８は、実施の形態１のＳ９に対応し、本実施形態におけるＳ２０９は、実施の形態１のＳ８に対応する。さらに、本実施形態におけるＳ２１０〜Ｓ２１５は、実施の形態１のＳ１０〜Ｓ１５と同様である。従って、実施の形態１における処理手順と相違する処理手順を、以下に詳述する。
【０１１０】
Ｓ２１６において、スイッチ２１１は、ＩＦ信号をＳＡＷフィルタ処理部２２４に伝送する。その後、処理は、Ｓ２１７へ移行する。
【０１１１】
Ｓ２１７において、ＳＡＷフィルタ処理部２２４は、ＩＦ信号をコンポジット信号と音声信号とに分離する。そして、ＳＡＷフィルタ処理部２２４は、コンポジット信号を映像復調処理部２２５に伝送する。また、ＳＡＷフィルタ処理部２２４は、音声信号をＦＭ復調処理部２２６に伝送する。その後、処理は、Ｓ２１８へ移行する。
【０１１２】
Ｓ２１８において、映像復調処理部２２５は、切り替えスイッチ２２７を制御し、対応する復調部にＳＡＷフィルタ処理部２２４からの出力信号を伝送する。その後、映像復調処理部２２５内の上記対応する復調部は、コンポジット信号を復調する。また、ＦＭ復調処理部２２６は、音声信号を復調する。そして、映像復調処理部２２５は、復調したコンポジット信号を映像・音声デコーダ１５に伝送する。また、ＦＭ復調処理部２２６は、復調した音声信号を映像・音声デコーダ１５に伝送する。その後、処理は、Ｓ２１９へ移行する。
【０１１３】
Ｓ２１９において、映像・音声デコーダ１５は、復調したコンポジット信号・音声信号を映像・音声に変換する。そして、映像・音声デコーダ１５は、映像・音声を出力部４に伝送する。その後、処理は、Ｓ２２０へ移行する。
【０１１４】
Ｓ２２０において、出力部４は、映像・音声を出力する。これにより、出力部４であるディスプレイ及びスピーカに伝送され、利用者は視聴可能となる。
【０１１５】
実施の形態１及び実施の形態２について、復調回路及びエラー訂正回路はロジック回路であり上記変調方式の書き換えによって対応可能である。このため、上記変調方式を予め記憶部に記憶させておき、得られた位置情報、判別情報から対応する復調方式及びエラー訂正方式をその都度、プログラマブルロジック回路へ書き込むことで１つのハードウェア（プログラマブルロジック回路）で各国の両方式に対応可能となる。
【０１１６】
以上より、本実施形態では、アナログ復調処理部２１４は、ハードウェアにより実装しているが、これにより、本実施形態は、デジタル復調とアナログ復調とをプログラマブルロジック回路によって実装する実施の形態１と比較して、プログラマブルロジック回路における回路規模や回路構成がより簡素になる。また、上記回路規模や回路構成がより簡素となることにより、プログラマブルロジック回路のコストが下がる。
【０１１７】
〔実施の形態３〕
本発明の他の実施形態について図１０に基づいて説明すると以下の通りである。なお、前記した実施の形態１および２で説明した構成と同様の機能を有する構成には同一の符号を付記し、その説明を省略する。本実施形態に係るテレビ受信機３０１は、実施の形態２に示したテレビ受信機２０１において、テレビ受信部２０８の構成が異なるだけであり、その他の構成については同様である。
【０１１８】
〔テレビ受信機の構成〕
本実施形態に係るテレビ受信機３０１の構成を図１０に示す。同図に示すように、テレビ受信機３０１のテレビ受信部３０８は、テレビ受信機２０１のテレビ受信部２０８におけるデジタル復調部２１２とアナログ復調処理部２１４とが、ハードウェアによって構成されているデジタル復調処理部（第２の復調手段）３１２とプログラマブルロジック回路を用いて構成されているアナログ復調部３１４とに置き換えた構成となっている。なお、テレビ受信部３０８は、テレビ受信部２０８に、さらに、Ｄ／Ａ変換部１４を加えた構成となっている。
【０１１９】
以下に、テレビ受信部３０８における置き換えた各構成要素を詳述する。なお、デジタル復調処理部３１２の構成を図１１に示す。
【０１２０】
同図に示すように、デジタル復調処理部３１２は、Ａ／Ｄ変換部３１５と、変調方式復調処理部３１６とを備えている。
【０１２１】
Ａ／Ｄ変換部３１５は、切り替えスイッチ２１１より伝送されるＩＦ信号をデジタル信号に変換する。
【０１２２】
変調方式復調処理部３１６は、切り替えスイッチ３１７と、日本仕様ＯＦＤＭ復調・エラー訂正部３１８と、米国仕様８ＶＳＢ復調・エラー訂正部３１９と、欧州仕様ＯＦＤＭ復調・エラー訂正部３２０とを備えている。
【０１２３】
切り替えスイッチ３１７は、方式選択制御部２３２からの方式選択信号に基づいて、Ａ／Ｄ変換部３１５からの出力信号を、日本仕様ＯＦＤＭ復調・エラー訂正部３１８、米国仕様８ＶＳＢ復調・エラー訂正部３１９、欧州仕様ＯＦＤＭ復調・エラー訂正部３２０のいずれかに選択的に伝送する。
【０１２４】
日本仕様ＯＦＤＭ復調・エラー訂正部３１８は、該当する日本仕様のデジタル信号が伝送された場合、上記デジタル信号を復調・エラー訂正処理する。ただし、上記の場合、切り替えスイッチ３１７と米国仕様８ＶＳＢ復調・エラー訂正部３１９、切り替えスイッチ３１７と欧州仕様ＯＦＤＭ復調・エラー訂正部３２０は、切り離されている。
【０１２５】
米国仕様８ＶＳＢ復調・エラー訂正部３１９は、該当する米国仕様のデジタル信号が伝送された場合、上記デジタル信号を復調・エラー訂正処理する。ただし、上記の場合、切り替えスイッチ３１７と日本仕様ＯＦＤＭ復調・エラー訂正部３１８、切り替えスイッチ３１７と欧州仕様ＯＦＤＭ復調・エラー訂正部３２０は、切り離されている。
【０１２６】
欧州仕様ＯＦＤＭ復調・エラー訂正部３２０は、該当する欧州仕様のデジタル信号が伝送された場合、上記デジタル信号を復調・エラー訂正処理する。ただし、上記の場合、切り替えスイッチ３１７と日本仕様ＯＦＤＭ復調・エラー訂正部３１８、切り替えスイッチ３１７と米国仕様８ＶＳＢ復調・エラー訂正部３１９は、切り離されている。
【０１２７】
なお、上記デジタル復調処理部３１２は、変調方式復調処理部３１６が複数の方式に対応している構成である場合に限定されるものではなく、１つの方式にのみ対応する構成であってもよい。
【０１２８】
また、アナログ復調部の構成を図１２に示す。
【０１２９】
同図に示すように、アナログ復調部３１４は、Ａ／Ｄ変換部３２１と、プログラマブルロジック回路３２２とを備えている。ここで、Ａ／Ｄ変換部３２１と、プログラマブルロジック回路３２２とは実施の形態１と同様の構成であるため、説明は省略する。ただし、アナログ復調部３１４は、アナログ放送用の電波によるＩＦ信号のみ伝送されるため、本実施形態の記憶部６は、アナログ放送用の処理情報のみ記憶しておけばよい。
【０１３０】
〔処理手順〕
次に図１３に示すフローチャートを参照しながら、本実施形態におけるテレビ受信機３０１で実行される処理の流れについて説明する。なお、前記した実施の形態１で説明した構成と同様の工程に関しては同一の符号を付記し、その説明を省略する。具体的には、本実施形態におけるＳ３０１〜Ｓ３０９は、実施の形態１のＳ１〜Ｓ９と同様である。また、本実施形態におけるＳ３１６〜３２２２は、実施の形態１のＳ１６〜Ｓ２２と同様である。従って、実施の形態１における処理手順と相違する処理手順を、以下に詳述する。
【０１３１】
Ｓ３１０において、テレビ受信チューナ３は、ＩＦ信号をテレビ受信部３０８内にあるスイッチ２１１を介して、Ａ／Ｄ変換部３１５に伝送し、Ａ／Ｄ変換部３１５は、ＩＦ信号をデジタル信号に変換する。そして、Ａ／Ｄ変換部３１５は、変換されたデジタル信号を変調方式復調処理部３１６の切り替えスイッチ３１７に伝送する。その後、処理はＳ３１１へ移行する。
【０１３２】
Ｓ３１１において、切り替えスイッチ３１７は、デジタル信号を、方式選択制御部２３２からの方式選択信号に基づいて選択された復調・エラー訂正部に伝送する。その後、処理は、Ｓ３１２へ移行する。
【０１３３】
Ｓ３１２において、対応する復調・エラー訂正部は、デジタル信号を復調・エラー訂正処理する。つまり、対応する復調・エラー訂正部は、デジタル信号をＴＳ信号に変換する。そして、対応する復調・エラー訂正部は、上記ＴＳ信号をＭＰＥＧ２デコーダ１３に伝送する。その後、処理は、Ｓ３１３へ移行する。
【０１３４】
Ｓ３１３において、ＭＰＥＧ２デコーダ１３は、上記ＴＳ信号を映像・音声に変換する。そして、ＭＰＥＧ２デコーダ１３は、映像・音声を出力部４に伝送する。その後、処理は、Ｓ３１４へ移行する。
【０１３５】
Ｓ３１４において、出力部４は、上記映像・音声を出力される。これにより、出力部４であるディスプレイ及びスピーカに入力され、利用者は視聴可能となる。
【０１３６】
実施の形態１及び実施の形態３について、ＳＡＷフィルタ回路、映像復調回路及びＦＭ復調回路としてはロジック回路であり上記変調方式の書き換えによって対応可能である。このため、上記変調方式を予め記憶部に記憶させておき、得られた位置情報、判別情報から対応するＳＡＷフィルタ処理、映像復調処理及びＦＭ復調処理をその都度、プログラマブルロジック回路へ書き込むことで１つのハードウェア（プログラマブルロジック回路）で各国の両方式に対応可能となる。
【０１３７】
以上より、本実施形態では、デジタル復調処理部３１２は、ハードウェアにより実装しているが、これにより、本実施形態は、デジタル復調とアナログ復調とをプログラマブルロジック回路によって実装する実施の形態１と比較して、プログラマブルロジック回路における回路規模や回路構成がより簡素になる。また、上記回路規模や回路構成がより簡素となることにより、プログラマブルロジック回路のコストが下がる。
【０１３８】
また、将来的には、各国デジタル放送に一本化されアナログ放送はいずれ終了する。また国によってはデジタル放送への移行が遅く、まだアナログ放送が主流の場合もある。さらにデジタル・アナログの両方式に対応することで回路規模が大きくなり、携帯パソコンや携帯電話など、それらの機器に内蔵して持ち運ぶことを目的としたテレビ受信機にとって小型化の弊害となる場合もある。
【０１３９】
以上のような状況を鑑みればデジタル放送専用受信装置もしくはアナログ放送専用受信装置であってもよい。つまり、実施の形態１における記憶部６において、アナログ放送用の変調方式を削除し、テレビ受信部８において、Ｄ／Ａ変換部１４と、映像・音声デコーダ１５とを削除することにより、デジタル放送専用受信装置の構成となる。また、実施の形態３におけるテレビ受信部３０８において、アナログ復調部３１４と、Ｄ／Ａ変換部１４と、映像・音声デコーダ１５とを削除することによってもデジタル放送専用受信装置の構成となる。さらに、実施の形態１における記憶部６において、デジタル放送用の変調方式を削除し、テレビ受信部８において、ＭＰＥＧ２デコーダ１３を削除することにより、アナログ放送専用受信装置の構成となる。また、実施の形態３におけるテレビ受信部３０８において、デジタル復調処理部３１２と、ＭＰＥＧ２デコーダ１３とを削除することによってもアナログ放送専用受信装置の構成となる。
【０１４０】
また、上記各実施形態では、制御部１０・２１０を構成する各部材が、「ＣＰＵなどの演算手段がＲＯＭやＲＡＭなどの記録媒体に格納されたプログラムコードを実行することで実現される機能ブロックである」場合を例にして説明したが、同様の処理を行うハードウェアで実現してもよい。また、処理の一部を行うハードウェアと、当該ハードウェアの制御や残余の処理を行うプログラムコードを実行する上記演算手段とを組み合わせても実現することもできる。さらに、上記各部材のうち、ハードウェアとして説明した部材であっても、処理の一部を行うハードウェアと、当該ハードウェアの制御や残余の処理を行うプログラムコードを実行する上記演算手段とを組み合わせても実現することもできる。なお、上記演算手段は、単体であってもよいし、装置内部のバスや種々の通信路を介して接続された複数の演算手段が共同してプログラムコードを実行してもよい。また、上記各部材のうちの記憶部６は、メモリなどの記憶装置自体であってもよい。
【０１４１】
上記演算手段によって直接実行可能なプログラムコード自体、または、後述する解凍などの処理によってプログラムコードを生成可能なデータとしてのプログラムは、当該プログラム（プログラムコードまたは上記データ）を記録媒体に格納し、当該記録媒体を配付したり、あるいは、上記プログラムを、有線または無線の通信路を介して伝送するための通信手段で送信したりして配付され、上記演算手段で実行される。
【０１４２】
なお、通信路を介して伝送する場合、通信路を構成する各伝送媒体が、プログラムを示す信号列を伝搬し合うことによって、当該通信路を介して、上記プログラムが伝送される。また、信号列を伝送する際、送信装置が、プログラムを示す信号列により搬送波を変調することによって、上記信号列を搬送波に重畳してもよい。この場合、受信装置が搬送波を復調することによって信号列が復元される。一方、上記信号列を伝送する際、送信装置が、デジタルデータ列としての信号列をパケット分割して伝送してもよい。この場合、受信装置は、受信したパケット群を連結して、上記信号列を復元する。また、送信装置が、信号列を送信する際、時分割／周波数分割／符号分割などの方法で、信号列を他の信号列と多重化して伝送してもよい。この場合、受信装置は、多重化された信号列から、個々の信号列を抽出して復元する。いずれの場合であっても、通信路を介してプログラムを伝送できれば、同様の効果が得られる。
【０１４３】
ここで、プログラムを配付する際の記録媒体は、取外し可能である方が好ましいが、プログラムを配付した後の記録媒体は、取外し可能か否かを問わない。また、上記記録媒体は、プログラムが記憶されていれば、書換え（書き込み）可能か否か、揮発性か否か、記録方法および形状を問わない。記録媒体の一例として、磁気テープやカセットテープなどのテープ、あるいは、フロッピー（登録商標）ディスクやハードディスクなどの磁気ディスク、または、ＣＤ−ＲＯＭや光磁気ディスク（ＭＯ）、ミニディスク（ＭＤ）やデジタルビデオディスク（ＤＶＤ）などのディスクが挙げられる。また、記録媒体は、ＩＣカードや光カードのようなカード、あるいは、マスクＲＯＭやＥＰＲＯＭ、ＥＥＰＲＯＭまたはフラッシュＲＯＭなどのような半導体メモリであってもよい。あるいは、ＣＰＵなどの演算手段内に形成されたメモリであってもよい。
【０１４４】
なお、上記プログラムコードは、上記各処理の全手順を上記演算手段へ指示するコードであってもよいし、所定の手順で呼び出すことで、上記各処理の一部または全部を実行可能な基本プログラム（例えば、オペレーティングシステムやライブラリなど）が既に存在していれば、当該基本プログラムの呼び出しを上記演算手段へ指示するコードやポインタなどで、上記全手順の一部または全部を置き換えてもよい。
【０１４５】
また、上記記録媒体にプログラムを格納する際の形式は、例えば、実メモリに配置した状態のように、演算手段がアクセスして実行可能な格納形式であってもよいし、実メモリに配置する前で、演算手段が常時アクセス可能なローカルな記録媒体（例えば、実メモリやハードディスクなど）にインストールした後の格納形式、あるいは、ネットワークや搬送可能な記録媒体などから上記ローカルな記録媒体にインストールする前の格納形式などであってもよい。また、プログラムは、コンパイル後のオブジェクトコードに限るものではなく、ソースコードや、インタプリトまたはコンパイルの途中で生成される中間コードとして格納されていてもよい。いずれの場合であっても、圧縮された情報の解凍、符号化された情報の復号、インタプリト、コンパイル、リンク、または、実メモリへの配置などの処理、あるいは、各処理の組み合わせによって、上記演算手段が実行可能な形式に変換可能であれば、プログラムを記録媒体に格納する際の形式に拘わらず、同様の効果を得ることができる。
【０１４６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１４７】
本発明は、主として、世界各国を移動中にその地域のテレビ放送を視聴するような携帯型テレビなどの用途に適用できる。
【図面の簡単な説明】
【０１４８】
【図１】本発明の一実施形態に係るテレビ受信装置の全体構成を示すブロック図である。
【図２】上記テレビ受信装置を含むシステムの構成を示すブロック図である。
【図３】上記テレビ受信装置がデジタル放送を受信した際のプログラマブルロジック回路における構成を示すブロック図である。
【図４】上記テレビ受信装置がアナログ放送を受信した際のプログラマブルロジック回路における構成を示すブロック図である。
【図５】上記テレビ受信装置の処理手順を示すフローチャートである。
【図６】本発明の他の実施形態に係るテレビ受信装置のシステムの構成を示すブロック図である。
【図７】上記テレビ受信装置のデジタル復調部の構成を示すブロック図である。
【図８】上記テレビ受信機のアナログ復調処理部の構成を示すブロック図である。
【図９】上記テレビ受信装置の処理手順を示すフローチャートである。
【図１０】本発明のさらに他の実施形態に係るテレビ受信装置のシステムの構成を示すブロック図である。
【図１１】上記テレビ受信機のデジタル復調処理部を示すブロック図である。
【図１２】上記テレビ受信機のアナログ復調部を示すブロック図である。
【図１３】上記テレビ受信機の処理手順を示すフローチャートである。
【図１４】地域別の受信周波数、帯域幅、チャンネル数、アナログ方式とデジタル方式の映像信号、変調方式の一例である。
【符号の説明】
【０１４９】
１    テレビ受信機（テレビ受信装置）
２    地上波アンテナ
３    テレビ受信チューナ
６    記憶部
６Ａ    情報更新部（情報更新手段）
７    ＧＰＳ受信アンテナ
８    テレビ受信部
９    ＧＰＳ受信部（位置情報検出手段）
１０  制御部
１２  プログラマブルロジック回路（第１の復調手段）
１６  ＧＰＳフロントエンド
１７  ＧＰＳ信号処理部
１８  デジタル・アナログ判別部（判別手段）
１９・２２３・３２２  プログラマブルロジック回路制御部（制御手段）
２０  ＧＰＳ受信制御部（位置検出動作制御手段）
２１  選局制御部（選局制御手段）
２１１  スイッチ（切り替え手段）
２１４  アナログ復調処理部（第２の復調手段）
３１２  デジタル復調処理部（第２の復調手段）
【図１】
2006086730.tif 000003
【図２】
2006086730.tif 000004
【図３】
2006086730.tif 000005
【図４】
2006086730.tif 000006
【図５】
2006086730.tif 000007
【図６】
2006086730.tif 000008
【図７】
2006086730.tif 000009
【図８】
2006086730.tif 000010
【図９】
2006086730.tif 000011
【図１０】
2006086730.tif 000012
【図１１】
2006086730.tif 000013
【図１２】
2006086730.tif 000014
【図１３】
2006086730.tif 000015
【図１４】
2006086730.tif 000016